(57)【要約】【課題】  新しい光ディスクなどの記録媒体を使用する場合に初期化が終了するまで待たなければならず、利便性が悪いという問題があった。【解決手段】  光ディスクなどの記録媒体にデータを記録するドライブ装置と、前記記録媒体の管理情報領域を初期化する機能とを備えた記録装置において、初期化時に前記記録媒体の管理情報領域に記録する初期化データを記憶する記憶手段を設け、初期化動作を指示された場合、前記記憶手段に記憶されている初期化データを前記記録媒体の管理情報領域の最初から記録をすることを特徴とする【選択図】  図２
2007149273.tif 000002
【特許請求の範囲】
【請求項１】
記録媒体にデータを記録するドライブ装置と、前記記録媒体の管理情報領域を初期化する機能とを備えた記録装置において、
初期化時に前記記録媒体の管理情報領域に記録する初期化データを記憶する記憶手段を設け、
初期化動作を指示された場合、前記記憶手段に記憶されている初期化データを前記記録媒体の管理情報領域の最初から記録をすることを特徴とする記録装置。
【請求項２】
請求項１記載の記録装置において、
前記初期化データはダミーデータと管理情報データとを所定の間隔で配置したデータ構成とされ、前記前記管理領域のデータ量と略同じデータ量であることを特徴とする記録装置。
【請求項３】
請求項１又は２記載の記録装置において、
前記管理情報データの一部のデータの生成及び前記管理情報データの一部を書き換える書き換え手段を備え、
初期化動作を指示された場合、前記書き換え手段により前記管理情報データの一部を書き換えられた第２の初期化データを前記記録媒体の管理情報領域の最初から記録をすることを特徴とする記録装置。
【請求項４】
請求項１乃至３のいずれかに記載の記録装置において、
前記記録媒体は、光ディスクであることを特徴とする記録装置。
【請求項５】
請求項１乃至４のいずれかに記載の記録装置において、
さらに、映像を撮像する撮像手段を有し、
前記撮像手段で撮像された映像データを前記記録媒体に記録することを特徴とする記録装置。
【発明の詳細な説明】
【技術分野】
【０００１】
本発明は、記録媒体の初期化に係り、特に光ディスクのファイル管理情報記録領域の初期化を高速化する技術に関する。
【背景技術】
【０００２】
近年、メディア（記録媒体）として光ディスクであるＤＶＤ（Ｄｉｇｉｔａｌ  Ｖｅｒｓａｔｉｌｅ  Ｄｉｓｃ）ディスクを採用した記録再生装置が、多量の画像データを蓄積可能なために、特に注目されている。
【０００３】
画像データ記録が可能な記録型ＤＶＤには、１回のみの追記型としてＤＶＤ−Ｒ（Ｄｉｇｉｔａｌ  Ｖｅｒｓａｔｉｌｅ  Ｄｉｓｃ  Ｒｅｃｏｒｄａｂｌｅ）、書き換え可能なメディアとしてＤＶＤ−ＲＷ（Ｄｉｇｉｔａｌ  Ｖｅｒｓａｔｉｌｅ  Ｄｉｓｃ  Ｒｅｗｒｉｔａｂｌｅ）、ＤＶＤ＋ＲＷ（ｐｌｕｓＲＷ）、およびＤＶＤ−ＲＡＭ（Ｄｉｇｉｔａｌ  Ｖｅｒｓａｔｉｌｅ  Ｄｉｓｃ  Ｒａｎｄｏｍ  Ａｃｃｅｓｓ  Ｍｅｍｏｒｙ）などがある。記録再生装置はこれらのＤＶＤディスクへのデータ記録、再生を要求されている。
【０００４】
記録型光ディスクは記録部分の構成を大きく２つに分けることができる。ひとつは、ドライブ装置による記録再生が可能な物理領域である。もうひとつは、使用者が希望した画像データの記録再生が可能な論理領域（論理データ領域）である。さらに、論理領域には光ディスクの管理情報領域とユーザデータ領域とが配置されている。記録型光ディスクの使用に際しては、使用前すなわち希望した画像データを記録する前に物理領域と管理情報領域を、採用するファイル形式、フォーマット規格に合わせて初期化する必要がある。物理領域においての初期化とは、光ディスクの状態情報、記録終了位置、光ディスクの最終アドレスなどの規格に定められたデータを記録することを指す。管理情報領域においての初期化とは、ＵＤＦ（Ｕｎｉｖｅｒｓａｌ  Ｄｉｓｋ  Ｆｏｒｍａｔ）に代表されるような、光ディスクで使用するファイルシステム規格に定められたデータを記録する処理のことをさす。
【０００５】
ここで、記録型ＤＶＤのひとつであるＤＶＤ−ＲＷを例に説明する。ＤＶＤ−ＲＷは２種類の初期化形式に対応するという特徴を持つ。ひとつは追記型（ビデオフォーマット）で、再生専用ＤＶＤとの再生互換性のある規格に対応した初期化形式である。もうひとつは書き換え型（ビデオレコーディングフォーマット）で、再生専用ＤＶＤとの再生互換性は無いが、データの部分消去などの記録後の編集が可能である規格に対応した初期化形式である。
【０００６】
新しいＤＶＤ−ＲＷを使用する際、または、使用中のＤＶＤ−ＲＷの記録済みデータをすべて消去して、新しい画像データを最初から記録しなおす場合は、追記型または書き換え型から希望する初期化形式を選択する必要がある。ＤＶＤ−ＲＷは、２種類の初期化形式に対応しているという性質上、光ディスクメーカの出荷時点では管理情報領域への初期化はされておらず、最初の使用時には必ず管理情報領域への初期化が必要となる。
【０００７】
ＤＶＤ−ＲＷに使用される２種類の初期化形式はＵＤＦ規格に準じている。管理情報領域はＤＶＤディスクの内周に配置されており、初期化に必要なデータ（以降、初期化データと称す）はこの規格によって定められている。使用前には、内周に配置された管理情報領域を初期化する必要がある。管理情報領域に記録される初期化データは、管理情報領域に記録できる情報量に対して管理情報として有効な情報量は少なく、管理情報領域内の所定の場所に記録される必要があり、有効な管理情報は断続的に配置されている。また有効な情報が記録されない部分には一意のデータ“０”が記録されている。したがって管理情報領域のほとんどは有効な情報がない部分であり、一意のデータ“０”で埋められる。
【０００８】
上記のように有効な管理情報がない部分が多いため、従来の管理情報領域の初期化では、次のような操作を行っていた。
操作（１）  管理情報領域全体に“０”を記録する。
操作（２）  管理情報領域の先頭へ光ヘッドを戻す。
操作（３）  領域内の所定の場所へ光ヘッドを移動（シーク）する。
操作（４）  有効な管理情報を記録する。
操作（５）  操作（３）（４）を繰り返し、すべての管理情報を記録する。
【０００９】
上述した従来の管理情報領域の初期化では、上記操作（３）によるシークに多くの時間を費やしていた。また、操作（１）で“０”を記録した上に、操作（４）で管理情報を上書きしており、記録が重複することによる時間ロスが生じていた。これらの要因により、管理情報領域の初期化時間が非常に長くかかっており、ビデオカメラにおいては、この時間ロスが撮影チャンスを逃すことにつながっていた。このため、従来から管理情報領域の初期化を効率化する技術が考えられてきた。
【００１０】
このような、従来技術では、課題として「相変化型の光ディスクを大量にフォーマットする。」とされ、解決手段として「フォーマット用の少なくともＵＤＦデータ及びファイル構造を含むアプリケーション固有のデータを記憶装置５３に保存し、記憶装置５３に保存されたアプリケーション固有のデータを物理フォーマット後の光ディスクにライトする。これにより、記憶装置５３に格納されたフォーマットデータに基づいて光ディスクをフォーマットすることで、フォーマットされた相変化型光ディスクを大量生産することができる。」としたものがある。（例えば、特許文献１参照）
また、他の従来技術では、課題として「データを上書きで再記録可能な光ディスクに対するフォーマット処理のためにデータの記録及び再生を長時間待たなくても済むようにする。」とされ、解決手段として「光ディスクに対してフォーマットを開始した後、Ｓ１で次処理の受付けを可能にし、Ｓ２で光ディスクの記録領域の全面又は所定領域に固定長パケットを記録し尽くすフォーマット処理をバックグラウンドで行ない、Ｓ３でフォーマット処理対象のエリア全域が固定長パケットで埋められたか否かを判断し、埋められていなければＳ２の処理を継続し、埋められたらこの処理を終了する。」としたものがある。（例えば、特許文献２参照）
【特許文献１】特開２０００−０９０５７９号公報
【特許文献２】特開２００３−１６２８６８号公報
【発明の開示】
【発明が解決しようとする課題】
【００１１】
上述したように、ＤＶＤディスクを使用する際には、選択した初期化形式での初期化が必要である。使用者は、ＤＶＤ−ＲＷを記録可能状態とするまでに、光ディスクを挿入、光ディスクの認識、初期化形式の選択後、初期化処理実行という工程を費やさなければならず、特にこの初期化に時間がかかってしまう。ビデオカメラにおいては、この時間ロスが撮影チャンスを逃すことにつながる。
【００１２】
しかしながら、上記特許文献１記載の従来技術では、記憶装置（ＲＯＭ）に格納された初期化に必要なデータを光ディスクに書き込むことで、大量の初期化済み光ディスク生産する技術であるが、初期化データを記録する時の時間短縮については考慮されておらず、光ヘッドのシークによる時間ロスが解消されず、初期化時間が長くかかってしまい、記録開始までの待ち時間が長いという課題があった。
【００１３】
また、上記特許文献２記載の従来技術では、初期化が終了する前に記録開始可能状態にすることで見かけ上の初期化時間を短縮したように見せる技術であるが、初期化動作そのものの処理時間を短縮する技術ではない。初期化前に記録可能状態としているため、使用者が記録停止後に光ディスクを取り出そうとした場合には、初期化が終了するまで待たなければならず、利便性が悪いという課題があった。さらに、使用者の記録が終了した後に初期化動作を再開するが、初期化終了前に電源の瞬断等のトラブルが発生した場合、記録データの破損等が起こりその光ディスクが使用不能になってしまう場合があるという課題もあった。
【００１４】
本発明の目的は、光ディスクなどの記録媒体を使用した記録装置において、記録媒体への初期化時間を短縮し、待ち時間の短い利便性に優れた快適な記録装置を提供することにある。
【課題を解決するための手段】
【００１５】
上記目的は、特許請求の範囲に記載された発明により達成される。
【発明の効果】
【００１６】
本発明によれば、光ディスクなどの記録媒体を使用した記録装置において、記録媒体への初期化時間を短縮し、記録装置使用者の待ち時間を短くして利便性を向上することができる。
【発明を実施するための最良の形態】
【００１７】
以下に、本実施例によるＤＶＤディスクを使用したビデオカメラの一実施例を図１から図４を用いて説明する。
【００１８】
まず、光ディスクの記録領域の構成を、図１を用いて説明する。図１に、記録型光ディスクの記録領域の概念図を示す。
【００１９】
２１は物理領域（内周側）、２２は論理データ領域、２３は管理情報領域、２４はユーザデータ領域、２５は物理領域（外周側）を示す。初期化とは管理情報領域２３への処理を指す。図に示すように、ディスク内周からディスク外周に向かって、物理領域（内周側）２１、論理データ領域２２、管理情報領域２３、ユーザデータ領域２４、物理領域（外周側）２５が順に並んでいる。ここで、初期化データとは、管理情報領域２３全体へ初期化時に記録する配列データであり、その構造は図４で後述する。
【００２０】
次に、本実施例によるビデオカメラの構成及び動作概略を、図２を用いて説明する。図２に、本実施例によるビデオカメラの基本的なブロック図を示す。
【００２１】
１はレンズ／ＣＣＤ（Ｃｈａｒｇｅ  Ｃｏｕｐｌｅｄ  Ｄｅｖｉｃｅｓ）、２はカメラＤＳＰ（Ｄｉｇｉｔａｌ  Ｓｉｇｎａｌ  Ｐｒｏｃｅｓｓｏｒ）、３はＦＬＡＳＨ  ＲＯＭ、４は液晶パネル、５は外部出力端子、６はドライブ装置、７は記録／再生回路、８はグラフィック回路、９はマイクロコンピュータ、１０は光ディスク、１１はＲＡＭ（Ｒａｎｄｏｍ  Ａｃｃｅｓｓ  Ｍｅｍｏｒｙ）、１２は光ディスク挿抜監視手段、１３は初期化形式選択手段を示す。
【００２２】
記録動作時は、レンズ／ＣＣＤ１から取り込まれた撮像信号がカメラＤＳＰ２を経由し、記録／再生回路７へ入力され、符号化等各種の信号処理を行った後ドライブ装置６により光ディスク１０へ画像データが記録される。また、同時に記録映像メニュー表示用の縮小画像（サムネイル画像）などがマイクロコンピュータ９により生成され、このサムネイル画像と記録時間、日付、記録モードなどのシーン管理情報が光ディスク１０へ記録される。一方、記録／再生回路７へ入力された符号化される前の画像信号がグラフィック回路８で文字情報等を重畳して液晶パネル４や外部出力端子５を経由して接続された外部表示装置などに渡されて表示される。
【００２３】
再生動作時は、光ディスク１０からドライブ装置６を経由して画像データが読み出され、記録／再生回路７へ入力される。記録／再生回路７で復号化等各種処理をされた画像信号がグラフィック回路８へ入り、その後、液晶パネル４や外部出力端子５へ渡され表示される。上記これらの動作制御はすべてマイクロコンピュータ９により制御されている。
【００２４】
ＦＬＡＳＨ  ＲＯＭ３はマイクロコンピュータ９のプログラムや制御に必要なデータおよび、光ディスク１０の管理情報領域の全域に記録されるべき、ＵＤＦ規格に準じたデータ配列（初期化データ）が格納されている。例えば、初期化データはデータ“０”と管理情報データとが、所定の間隔でシリアルに並んだ配列データであり、管理情報領域のデータ量とほぼ同じデータ量となっている。マイクロコンピュータ９は必要に応じてＦＬＡＳＨ  ＲＯＭ３のデータを読み出す。また、初期化データは初期化形式により異なった構造となっているため、ビデオカメラで対応している光ディスクの初期化形式分の初期化データを個別に複数個格納している。初期化データはデータ量が多いので、本実施例では、データ圧縮された状態でＦＬＡＳＨ  ＲＯＭ３に格納されており、ＦＬＡＳＨ  ＲＯＭ３に占めるデータ量を少なくしているが、初期化データは圧縮しなくても構わない。また、本実施例ではＦＬＡＳＨ  ＲＯＭを使用したが、ＲＯＭ、ＥＥＰＲＯＭ等の記憶媒体でも同様の機能を実現できるので、記録媒体はＦＬＡＳＨ  ＲＯＭに限定されない。
【００２５】
ＲＡＭ１１は画像データや、本ビデオカメラ制御に必要なデータを一時的に保存している。光ディスク挿抜監視手段１２は、光ディスク１０の挿抜状態を検知する手段であり、具体例としては挿入部などに光ディスク１０の有無を検出するスイッチを設けて監視する。初期化形式選択手段１３は、光ディスク１０の初期化の入力指示および、光ディスク１０が対応する初期化形式を選択する手段であり、具体的には、液晶パネル４に選択可能な初期化形式を表示し、十字カーソルボタンなどの入力装置（図示せず）により、初期化形式を選択する。
【００２６】
映像信号を扱う光ディスク１０としては、たとえば、再生専用としてＤＶＤ−ＲＯＭ、１回のみの追記型としてＤＶＤ−Ｒ、書き換え可能な光ディスクとしてＤＶＤ−ＲＷ、ＤＶＤ＋ＲＷ、およびＤＶＤ−ＲＡＭなどがある。
【００２７】
本実施例に係わる初期化動作について、概要を説明する。光ディスク１０を挿入すると、光ディスク挿抜手段１２により光ディスク１０の挿入を検出するとドライブ装置６により光ディスクの初期化有無を含む認識処理を行う。初期化が必要な場合には液晶パネル４に表示した選択画面から初期化形式を選択し実行する操作を初期化選択手段１３より行う。初期化動作に入ると、ＦＬＡＳＨ  ＲＯＭ３に記憶されている初期化データの内から選択された初期化形式に該当する初期化データを読み出しＲＯＭ１１に展開し、展開した初期化データをドライブ装置６を経由して光ディスク１０の管理情報領域２３の最初から記録する。尚、必要に応じて、マイクロコンピュータ９にて生成された光ディスク固有のデータを初期化データにある光ディスク固有のデータと書き換えてから管理情報領域２３に記録しても構わない。
【００２８】
このように、予めダミーデータと管理情報データをシリアルに配列した初期化データを、管理情報領域２３の最初から最後まで順次連続して記録していくだけの１回の書き込みで初期化ができるので、管理情報の位置に光ヘッドを移動（シーク）する動作が不要となり、初期化時間が短縮され、使用者の待ち時間を短くして利便性を向上できる。
【００２９】
次に、光ディスク１０を挿入してから記録可能状態となるまでの初期化の処理の流れについて、図３を用いて説明する。図３に、本実施例によるビデオカメラの初期化シーケンスのフローチャートを示す。なお、ここでは、光ディスク１０として、ＤＶＤ−ＲＷを挿入した場合について示す。
【００３０】
光ディスク１０を挿入すると、ステップＳＴ３１では、光ディスク挿抜監視手段１２により光ディスク１０が挿入されたことが検出される。ステップＳＴ３２では、マイクロコンピュータ９はドライブ装置６に対して光ディスク１０が挿入されたことを伝え、ドライブ装置６は光ディスク１０のディスク認識動作を開始する。ドライブ装置６は光ディスク１０のディスク判定結果、および、光ディスク１０の初期化の有無、光ディスクの初期化回数等の情報をマイクロコンピュータ９に伝える。ステップＳＴ３３で、初期化の必要性を判定する。未初期化光ディスクであり、初期化が必要な場合は、ステップＳＴ３６へと移行する。光ディスク１０が初期化されており、かつ、光ディスク１０のデータ記録可能領域に余裕がある場合は、ステップＳＴ３４へ移行し記録可能状態にあることを液晶パネル４に表示し、記録待機状態となり、使用者からの記録開始指示または初期化指示を待つ。
【００３１】
ステップＳＴ３４の記録待機状態後ステップＳＴ３５で、初期化形式選択手段１３により初期化の指示が行われた場合、ステップＳＴ３６へ移行する。ステップＳＴ３５で、初期化の指示が無い場合にはステップＳＴ３４に戻り記録待機状態となる。
【００３２】
ステップＳＴ３６では、液晶パネル４に追記型（ビデオフォーマット）および書き換え型（ビデオレコーディングフォーマット）の２種類の初期化形式を選択する画面を表示し、初期化形式を選択する。  初期化形式選択手段１３により初期化形式が選択されると、ステップＳＴ３７では、マイクロコンピュータ９はＦＬＡＳＨ  ＲＯＭ３から、選択された初期化形式に該当する初期化データを読み出し、ＲＡＭ１１にコピーする。ここで、初期化データがＦＬＡＳＨ  ＲＯＭ３に圧縮された状態で格納されている場合は、ＲＡＭ１１にコピーする際に展開する。
【００３３】
ステップＳＴ３８で、マイクロコンピュータ９は初期化日時、初期化回数、ＣＲＣ（ＣＹＣＬＩＣ  ＲＥＤＵＮＤＡＮＣＹ  ＣＨＥＣＫ）データなどの光ディスク固有のデータを、ＲＡＭ１１にコピーされた初期化データ上の、ＵＤＦ規格が定める所定の位置を書き換える（更新する）。  ステップＳＴ３９で、マイクロコンピュータ９はドライブ装置６に対して初期化指示を出し、ドライブ装置６は必要に応じて光ディスク１０の物理領域（内周側）２１の初期化を行う。ステップＳＴ４０で、マイクロコンピュータ９はドライブ装置６に対して初期化データの書き込みを指示し、ＲＡＭ１１上の更新された初期化データをドライブ装置６に順次転送する。ステップＳＴ４１で、ドライブ装置６はＲＡＭ１１より更新された初期化データを管理情報領域２３の先頭から連続的に記録を開始する。ステップＳＴ４２では、ドライブ装置６はＲＡＭ１１からの転送データがなくなるまで記録する。初期化データは、管理情報領域２３全域に記録するだけのデータ量を持っているので、管理情報領域２３の最後尾であって、ユーザデータ領域２４先頭の直前までの記録を続けることとなる。
【００３４】
尚、図３の説明では、ステップＳＴ３８で光ディスク固有のデータをＲＡＭ１１にコピーした初期化データ上に書き換えることで説明したが、ステップＳＴ３８を削除してＲＡＭ１１にコピーした初期化情報をそのまま光ディスク１０に記録するようにしても構わない。
【００３５】
また、初期化データが大きく、ＲＡＭ１１にコピーしきれない場合は、まずコピー可能な一定量だけコピーし、ＲＡＭ１１にコピーできなかった初期化データはドライブ装置６による光ディスク１０への初期化データの記録中のバックグラウンドでドライブ装置６に転送済み初期化データを消去しＲＡＭ１１に空きスペースを確保した後に、順次コピーする処理を行うようにしても構わない。
【００３６】
次に、予め記憶されている初期化データの構成を、図４を用いて説明する。図４に、本実施例によるビデオカメラの初期化データ構造の模式図を示し、図４（ａ）に、ＦＬＡＳＨ  ＲＯＭ３に記憶されている初期化データ全体の構成を、図４（ｂ）にＲＡＭ１１上で光ディスク固有のデータを書き換えた更新された初期化データを示す。ここでは、ＦＬＡＳＨ  ＲＯＭ３の初期化データは圧縮されていない場合で説明する。
【００３７】
図４（ａ）に示すように、管理情報領域２３全域にあたるデータ量（長さ）を初期化データは持っており、管理情報として有効なデータ部分である管理情報データ２７と管理情報として有効なデータではない部分には“０”（ダミーデータ２８）が配置されている。ここで、管理情報データ２７はＵＤＦ規格に準じた情報の内容と挿入位置となっている。また、情報管理データ２７の一部に、初期化日時、初期化回数、ＣＲＣ等の光ディスク固有のデータ２９が配置されている。
【００３８】
図３のステップＳＴ３８でマイクロコンピュータ９が持っている最新の初期化日時、初期化回数、ＣＲＣ等の光ディスク固有のデータを書き換えた場合、図４（ｂ）に示すように光ディスク固有のデータ２９部分が書き換えられる。
【００３９】
また、ここで、本ビデオカメラに使用しているシステムがシステム固有の情報ファイルを光ディスク１０に作成する必要があるシステムの場合は、そのシステム固有の情報ファイル用のデータも初期化データに後続してＦＬＡＳＨ  ＲＯＭ３格納しておき、初期化データと共に図３のステップＳＴ３７からステップＳＴ４２を行うようにしてもよい。すなわち、ドライブ装置６はユーザデータ領域２４の先頭からシステム固有の情報ファイルのデータを記録する必要があるが、ステップＳＴ４２で初期化データの記録が終了すると、ユーザデータ領域２４先頭の直前まで初期化データの記録が行われているため、ドライブ装置６は光ヘッドのシークを行わずに連続的にシステム固有の情報ファイル用のデータを記録が可能である。これにより、システム固有の情報ファイル用のデータを記録する時間が短縮され、使用者の待ち時間を短くしてさらに利便性を向上できる。
【００４０】
尚、ＤＶＤ＋ＲＷのように初期化形式が１種類しかないディスクが挿入された場合は、図３のステップＳＴ３６を除いたフォローチャートで処理が行われる。
【００４１】
また、ＤＶＤ−ＲＡＭのように、使用前の初期化の際に、内周と外周の２つの管理情報領域の初期化が必要なディスクにおいては、内周と外周の２つの初期化データをＦＬＡＳＨ  ＲＯＭ３に格納しておく。そして、図３のフローチャートに従い、内周の初期化が終了した後、外周の初期化も同図に従い行う。内周の管理情報領域最後尾から外周の管理情報領域先頭までシークが発生するが、最も短いシーク時間となるため、本実施例の効果は得られる。
【００４２】
本実施形態では、ビデオカメラを例としたが、ビデオカメラのみではなく、使用前に管理情報領域の初期化を必要とする記録媒体を使用する記録機器全般で実施可能である。
【図面の簡単な説明】
【００４３】
【図１】記録型光ディスクの記録領域の概念図
【図２】本実施例によるビデオカメラの基本的なブロック図
【図３】本実施例によるビデオカメラの初期化シーケンスのフローチャート
【図４】本実施例によるビデオカメラの初期化データ構造の模式図
【符号の説明】
【００４４】
１：レンズ／ＣＣＤ、２：カメラＤＳＰ、３：ＦＬＡＳＨ  ＲＯＭ、４：液晶パネル、
５：外部出力端子、６：ドライブ装置、７：記録／再生回路、８：グラフィック回路、
９：マイクロコンピュータ、１０：光ディスク、１１：ＲＡＭ、
１２：光ディスク挿抜監視手段、１３：初期化形式選択手段、２１：物理領域（内周側）、
２２：論理データ領域、２３：管理情報領域、２４：ユーザデータ領域、
２５：物理領域（外周側）、２６：初期化データ、２７：管理情報データ、
２８：ダミーデータ、２９：光ディスク固有のデータ
【図１】
2007149273.tif 000003
【図２】
2007149273.tif 000004
【図３】
2007149273.tif 000005
【図４】
2007149273.tif 000006